(57)【特許請求の範囲】
【請求項１】
電子印鑑と、前記電子印鑑による押印と前記電子印鑑のそれぞれに付与されるユニークな識別子とを検知し、前記電子印鑑が押印されたときの前記電子印鑑の回転方向角度である押印角度を算出して上位装置に送信する押印パッドと、あらかじめ前記電子印鑑固有の印影データを有し、前記電子印鑑の識別子に相当する印影データによる印影を、前記押印パッドを介して送信される前記押印角度に合わせて画面上の所定の位置に表示する上位装置とを備え、画面上に表示されたディジタル文書の所定の位置に捺印を行なう電子印鑑システムであって、
前記電子印鑑は、垂直方向に所定の傾きを持って配置されたアンテナコイルと、該アンテナコイルを含む同調回路と、該同調回路に同調する前記アンテナコイルで受信した前記押印パッドから一定期間の間送信される送信キャリアを整流平滑して得た電源にて動作し、ＯＮ／ＯＦＦ制御端子を有し、該制御端子に入力されるＯＮ信号によって前記同調回路に正帰還をかけて発振動作を行う発振回路と、前記送信キャリアの受信が終了する毎に、予め記憶されている前記電子印鑑の識別子を構成するビットを順に読み出し、該読み出したビットの１、０に応じた時間継続する前記ＯＮ信号を出力して前記発振回路を発振動作させ、前記同調回路の前記アンテナコイルから前記識別子の各ビットに応じた時間持続する発振出力を送信させる制御回路とを内蔵し、
前記押印パッドは、等間隔で配置された複数のＸ方向コイル及び該Ｘ方向コイルと直交して等間隔に配置された複数のＹ方向コイルとからなる受信コイルと、前記Ｘ方向コイル及びＹ方向コイルの外周に全体を囲んで配置された外周コイルからなる送信コイルと、前記送信コイルに前記送信キャリアを送信させた後、前記受信コイルの複数のＸ方向コイル及び複数のＹ方向コイルの各々を順次切替えて各コイルで受信される受信信号の強度を測定し、該測定した受信信号の強度に基づいて、前記複数のＸ方向コイル及び前記複数のＹ方向コイルのなかで前記受信信号の強度が最高になるコイルをそれぞれ特定し、前記特定したコイルから決定した前記電子印鑑が押印された座標位置と、前記特定したコイルの各々からある一定の距離を持って隣接する２つのコイルの受信信号の強度の和に対する差の割合をそれぞれ求め、該求めた２つの割合の比から算出した前記押印角度とを前記上位装置へ送信する制御回路とを有する
ことを特徴とする電子印鑑システム。
【請求項２】
前記押印パッドには、その押印面に少なくとも「承認」と「否認」を含む押印メニューが印刷されている
ことを特徴とする請求項１記載の電子印鑑システム。
【請求項３】
前記押印パッドは、前記電子印鑑にユニークな識別子と、自身に割り付けられた識別子とを照合して、一致する場合にのみ前記上位装置への前記座標位置ならびに前記押印角度の送信を可能にする照合回路を有する
ことを特徴とする請求項１または２に記載の電子印鑑システム。
【発明の詳細な説明】
【０００１】
【発明の属する技術分野】
本発明は、画面上に表示されたディジタル文書の所定の位置に捺印を行なう電子印鑑システムに関する。
【０００２】
【従来の技術】
従来、ディジタル文書に対する承認行為のためのインタフェースとして知られる方法に、キー操作により暗証番号を入力する方法、ＩＤカードを利用する方法がある。しかしながらいずれも日本の伝統的な承認のための道具である印鑑による捺印とは異なり、馴染みにくいものであった。
【０００３】
一方、これを解決するために、通常の印鑑によって書類に捺印する操作感覚とディジタル文書中に捺印された印影のリアルな表現が得られる電子印鑑システムが出現している。
これは、デスクトップのパソコンのＣＲＴ画面やノートタイプのＴＦＴ液晶画面に普通の印鑑のように押印する光学的な電子印鑑が用いられ、印鑑内部にあるメモリ情報と照合することにより本人識別を行なう。また、押印位置の検出を行ない、逆さま押印や斜め押印等、リアルな印影表現を可能にしている（特許文献１参照）。
【０００４】
【特許文献１】
特開平１０−１４９４０５号
【０００５】
【発明が解決しようとする課題】
しかしながら、上記した特許文献１によれば、電子印鑑そのものに認証情報がセットされ、不正な使われ方は防げるものの、画面に押印する必要があるため、依然として通常の印鑑によって書類に捺印する操作感覚とは異なり、不自然な感が否めない。すなわち、従来の押印文化を完全に継承するものではない。
【０００６】
本発明は上記事情に鑑みてなされたものであり、電子印鑑とパソコン等上位装置との間に押印パッドを介在させ、この押印パッドに電子印鑑による押印操作を行なわせることによって書類に捺印する感覚と同じ感覚で捺印させ、画面上に表示されたディジタル文書の所定の位置にその印影をリアルに表現する電子印鑑システムを提供することを目的とする。
【０００７】
【課題を解決するための手段】
請求項１に記載の発明は、電子印鑑と、前記電子印鑑による押印と前記電子印鑑のそれぞれに付与されるユニークな識別子とを検知し、前記電子印鑑が押印されたときの回転方向角度である押印角度を算出して上位装置に送信する押印パッドと、あらかじめ前記電子印鑑固有の印影データを有し、前記電子印鑑の識別子に相当する印影データによる印影を、前記押印パッドを介して送信される前記押印角度に合わせて画面上の所定の位置に表示する上位装置とを備え、画面上に表示されたディジタル文書の所定の位置に捺印を行なう電子印鑑システムであって、前記電子印鑑は、垂直方向に所定の傾きを持って配置されたアンテナコイルと、該アンテナコイルを含む同調回路と、該同調回路に同調する前記アンテナコイルで受信した、前記押印パッドから一定期間の間送信される送信キャリアを整流して得た電源にて動作し、ＯＮ／ＯＦＦ制御端子を有し、該制御端子に入力されるＯＮ信号によって前記同調回路に正帰還をかけて発振動作を行う発振回路と、前記送信キャリアの受信が終了する毎に、予め記憶されている前記電子印鑑の識別子を構成するビットを順に読み出し、該読み出したビットの１、０に応じた時間継続する前記ＯＮ信号を出力して前記発振回路を発振動作させ、前記同調回路の前記アンテナコイルから前記識別子の各ビットに応じた時間持続する発振出力を送信させる制御回路とを内蔵し、前記押印パッドは、等間隔で配置された複数のＸ方向コイル及び該Ｘ方向コイルと直交して等間隔に配置された複数のＹ方向コイルとからなる受信コイルと、前記Ｘ方向コイル及びＹ方向コイルの外周に全体を囲んで配置された外周コイルからなる送信コイルと、前記送信コイルに前記送信キャリアを送信させた後、前記受信コイルの複数のＸ方向コイル及び複数のＹ方向コイルの各々を順次切替えて各コイルで受信される受信信号の強度を測定し、該測定した受信信号の強度に基づいて、前記複数のＸ方向コイル及び前記複数のＹ方向コイルのなかで前記受信信号の強度が最高になるコイルをそれぞれ特定し、前記特定したコイルから決定した前記電子印鑑が押印された座標位置と、前記特定したコイルの各々からある一定の距離を持って隣接する２つのコイルの受信信号の強度の和に対する差の割合をそれぞれ求め、該求めた２つの割合の比から算出した前記押印角度とを前記上位装置へ送信する制御回路とを有することを特徴とする。
【０００８】
請求項１に記載の発明によれば、押印パッドが、電子印鑑による押印と、電子印鑑のそれぞれに付与されるユニークな識別子とを検知し、電子印鑑が押印されたときの回転方向角度である押印角度を算出して上位装置に送信し、上位装置が、電子印鑑の識別子に相当する印影データによる印影を、押印パッドを介して送信される押印角度に合わせて画面上の所定の位置に表示することにより、書類に捺印する感覚と同じ感覚で捺印させることができ、画面上に表示されたディジタル文書の所定の位置に、電子印鑑を捺印したときの回転方向角度である押印角度だけ傾いた印影をリアルに再現することができる。
【００１０】
また、電子印鑑が、垂直方向に所定の傾きを持って配置されたアンテナコイルと、このアンテナコイルを含む同調回路と、発振回路と、制御回路とを内蔵する。発振回路が、同調回路に同調するアンテナコイルで受信した、押印パッドから一定期間の間送信される送信キャリアを整流して得た電源にて動作し、ＯＮ／ＯＦＦ制御端子に入力されるＯＮ信号によって同調回路に正帰還をかけて発振動作を行い、制御回路が送信キャリアの受信が終了する毎に、予め記憶されている電子印鑑の識別子を構成するビットを順に読み出し、この読み出したビットの１、０に応じた時間継続するＯＮ信号を出力して発振回路を発振動作させ、同調回路のアンテナコイルから識別子の各ビットに応じた時間持続する発振出力を送信させることで、コードレス、電池レスで電子印鑑にユニークに付された識別子を垂直方向に所定の傾きを持って配置されたアンテナコイルにて送信できる。
【００１２】
しかも、等間隔で配置された複数のＸ方向コイル及び該Ｘ方向コイルと直交して等間隔に配置された複数のＹ方向コイルとからなる受信コイルと、Ｘ方向コイル及びＹ方向コイルの外周に全体を囲んで配置された外周コイルからなる送信コイルとを有する押印パッドの制御回路が、送信コイルに送信キャリアを送信させた後、受信コイルの複数のＸ方向コイル及び複数のＹ方向コイルの各々を順次切替えて各コイルで受信される受信信号の強度を測定し、この測定した受信信号の強度に基づいて、複数のＸ方向コイル及び複数のＹ方向コイルのなかで受信信号の強度が最高になるコイルをそれぞれ特定し、この特定したコイルから決定した電子印鑑が押印された座標位置と、特定したコイルの各々からある一定の距離を持って隣接する２つのコイルの受信信号の強度の和に対する差の割合をそれぞれ求め、この求めた２つの割合の比から算出した電子印鑑の押印角度とを上位装置へ送信することにより、上位装置では、捺印したときの電子印鑑の押印位置と同様な位置に押印角度と同様な傾きをもったリアルな印影を表示できる。
【００１３】
請求項２に記載の発明は、請求項１記載の電子印鑑システムにおいて、前記押印パッドには、その押印面に少なくとも「承認」と「否認」を含む押印メニューが印刷されていることを特徴とする。
【００１４】
請求項２に記載の発明によれば、押印パッドには、その押印面に少なくとも「承認」と「否認」を含む押印メニューが印刷されていることにより、上位装置では、その押印メニューに応じたアプリケーション上の「承認」と「否認」の処理を行なうことができる。
【００１５】
請求項３に記載の発明は、請求項１または２記載の電子印鑑システムにおいて、前記押印パッドは、前記電子印鑑にユニークな識別子と、自身に割り付けられた識別子とを照合し、一致する場合にのみ前記上位装置への前記座標位置ならびに前記押印角度の送信を可能にする照合回路を有することを特徴とする。
【００１６】
請求項３に記載の発明によれば、押印パッドに内蔵される照合回路が、電子印鑑にユニークな識別子と、押印パッドに割り付けられた識別子とを照合し、一致する場合にのみ上位装置への座標位置ならびに押印角度の送信を可能にすることにより、成りすまし押印や印鑑複製等の不正行為をチェックすることができる。
【００２１】
【発明の実施の形態】
図１は、本発明における電子印鑑システムの外観の一例を示す図である。電子印鑑システムは、電子印鑑１と、押印パッド２と、図示せぬ上位装置としてのパソコン（ＰＣ）で構成される。
電子印鑑１は、実際の印鑑と同じ形状を持ち、それぞれに固有の識別子（ＩＤ）が付与されている。形状は、例えば、長さ７０ｍｍ、径は１０ｍｍとし、印影が掘り込まれ（必須ではない）、従って、紙にも押印が可能である。また、押印パッド２は、中央部に、「承認」、「決済」、「否認」など６つの押印メニューが印刷され、押印パッド２右上部にインジケータ２０が実装されている。
印刷メニュー部分に電子印鑑１を近づけることによってインジケータ２０が作動し、また、押印することによってタクトスイッチのようなクリック感を得て、その押印メニューが図示せぬ上位装置に通知される仕組みになっている。また、押印パッド２は、図示せぬＰＣにＵＳＢ（Universal Serial Interface Bus）で接続され、ＰＣに対して、座標、押印操作時の電子印鑑の回転方向角度である押印角度、押圧の有無、電子印鑑ＩＤの情報を送信するデバイスである。
【００２２】
なお、押印パッド２は、図１では四角形状としたが、図２に示すように丸い形状としても良い。但し、基板形状が円そのものであれば、部品スペース確保のために基板が２枚程度必要になるため、コスト高になる。従って、図２に示すように、上方に四角い部分を設けて１枚基板とすることも考えられる。この場合、外形を８０ｍｍ、押印領域となる内径を３０ｍｍ、厚さを１５ｍｍ程度とする。
ここに示す押印パッド２に押印メニューは印刷されておらず、従って、単に電子印鑑１が押印されたか否かのみを検出する簡易型押印パッドとする。
【００２３】
図３は、本発明の電子印鑑システムの基本動作を説明するために引用したフローチャートである。
以下、図３に示すフローチャートを使用して本発明の電子印鑑システムのアプリケーションレベルでの動作から説明する。
【００２４】
準備段階において、ＰＣ等の上位装置は、図示せぬサーバから印影データをあらかじめ取り込んであるものとする。
まず、押印パッド２が、電子印鑑１が接近した（電磁誘導による）ことを検出したとき（Ｓ３１Ｙｅｓ）インジケータ２０をＯＮし、その電子印鑑１にユニークに付与されたＩＤと、押印パッド２に付与されたＩＤとの照合を行なう（Ｓ３２）。ここで不一致の場合は何もしない。
ここで、照合が得られた場合（一致）、電子印鑑１のＩＤと押印角度を算出し、上位装置（ＰＣ）へ送信する（Ｓ３３）。押印角度の算出については後述する。
【００２５】
次に、上位装置では、ＵＳＢドライバー（ソフトウェア）が受信した電子印鑑のＩＤ、押印角度をアプリケーションに渡し（Ｓ３４）、これを受けたアプリケーションは、そのＩＤに対応する印影データを検索し、その印影を先の押印角度に合わせて表示する（Ｓ３５）。
そして、印鑑が押されたか否かをチェックし（Ｓ３６）、押されたことが検出されたときに（Ｓ３６Ｙｅｓ）、ＵＳＢドライバーは、電子印鑑１が押されたことをアプリケーションに通知し（Ｓ３７）、アプリケーションは、押印処理（承認、否認）を行なう（Ｓ３８）。
【００２６】
以下、本発明の電子印鑑システムの詳細説明を行なう。図４は、電子印鑑１および押印パッド２の内部構造を説明するために引用した断面図である。
電子印鑑１は印鑑回路１０を内蔵し、この印鑑回路１０とは別にフェライト１１にコイル（以下フェライトを含めアンテナコイル１２という）が巻かれ、それが１０度程度傾いて実装されている。このアンテナコイル１２の傾きにより、電子印鑑１の回転方向の押印角度に応じて押印パッド２内の後述するＸ方向コイル及びＹ方向コイルに対する関係が変化することを利用して電子印鑑１の回転方向の押印角度が検出される。なお、電子印鑑に内蔵されて配置されたアンテナコイル１２を垂直方向に対して予め傾けておく角度は、押印角度の算出のために電磁誘導により得られる電圧レベルの感度と、電子印鑑１のサイズに依存する。
一方、押印パッド２内部には、まず上面にアンテナプリント基板２１があり、その裏にシールドのためのパーマロイ２２が貼り付けられている。そして、そのアンテナプリント基板２１は、パッド回路プリント基板２３に接続されており、そのパッド回路プリント基板２３上には電子部品２４が配置され、その概略中央部分に上記した各押印メニューに対応して圧力センサ２５が実装されている。電子印鑑１が押印されたときの圧力をこの圧力センサ２５で検出して、押印を検知するものである。
更に、このパッド回路プリント基板２３は、ＵＳＢケーブル２６を介して上位装置としてのＰＣに接続される。
【００２７】
図５は、図４に示すアンテナプリント基板２１とパッド回路プリント基板２３の接続構成、すなわち、押印パッド２の内部構成を説明するために引用した図である。
図５において、アンテナプリント基板２１は、図示のように、等間隔で配置された複数のＸ方向コイル（Ｘｉ：Ｘ０〜Ｘ１５）及び該Ｘ方向コイルと直交して等間隔に配置された複数のＹ方向コイル（Ｙｉ；Ｙ０〜Ｙ１１）とからなる受信コイルと、前記Ｘコイル及びＹコイルの外周に全体を囲んで配置された外周コイル３０からなる送信コイルと設けられている。
【００２８】
そして、パッド回路プリント基板２３のマイコン２３１を介して送信キャリアが生成されると、ドライバー２３２を経由して、外周コイル３０に電流が流される。その後、電子印鑑１が近づけられ（５ｍｍ程度）認識時に、パッド回路プリント基板２３でＸ方向、Ｙ方向のコイルを選択して、Ｘ方向、Ｙ方向の信号を受信し、その受信信号の振幅をパッド回路プリント基板２３（アンプ２３３、フィルタ２３４、検波回路２３５、Ａ／Ｄ（Analog Digital）変換回路２３６）により検出する。
そして検出された受信信号をマイコン２３１によって処理し、ＵＳＢケーブル２６を介して出力して上位装置のＰＣへ送る。なお、２３７は、図４に示す圧力センサ２５であり、ここでは半導体歪式押圧センサを用いることとする。
ここでは図示していないが、上記したインジケータ２０も実装されており、このインジケータ２０は、ＰＣからＵＳＢ経由で供給される電力によって生成される送信キャリアによる通電状態を表示するものである。
【００２９】
図６は、送信キャリアと受信信号及びＩＤ検出タイミングの関係について説明するために引用したタイミングチャートである。
ここでは、上から順に、（ａ）送信キャリア、（ｂ）アンテナ切替えスイッチ制御（マイコン２３１出力）、（ｃ）受信信号（“１”出力時）、（ｄ）受信信号（“０”出力時）、（ｅ）Ａ／Ｄ変換タイミングのそれぞれを示す。
まず、ＰＣ電源からＵＳＢ経由で供給される電力により、マイコン２３１を介してアンテナプリント基板２１に送信キャリアがある一定期間供給され、その期間、マイコン２３１によるアンテナ切替えスイッチ制御は“ＯＦＦ”の状態にある。送信キャリアの供給が停止した時、コイルＸｉまたはＹｉの受信信号に切換わるようになる。
このことにより受信信号が検出され、“１”出力時と“０”出力時における受信信号の長さの違いから、Ａ／Ｄ変換のタイミングで前半部分が座標及び押印角度検出用となり、後半部分がＩＤ検出の“１”／“０”判定用となる。その後、再度、アンテナプリント基板２１に送信キャリアがある一定期間供給されて、上述した動作が繰り返される。
【００３０】
図７は、電子印鑑１に内蔵される印鑑回路１０の内部構成を説明するために引用した図である。
ここでは、印鑑回路１０は、同調回路１０１、コンパレータ１０２、バッファ１０３、マイコン１０４、ＩＤメモリ回路１０５で構成される。
印鑑回路１０は、アンテナプリント基板２１の外周コイル３０から送信キャリアをアンテナコイル（図４の２１）を含むＬＣ共振回路で構成される同調回路１０１を介して取り込み、この取り込んだ送信キャリアを図示のダイオードＤ１及びＤ２及びコンデンサＣ１及びＣ２により整流平滑して得た＋電源と−電源を動作電源として供給する。また、コンパレータ１０２で送信キャリアのＯＮ／ＯＦＦを検出する。ここではバッファ１０３として７４ＨＣ１２６が用いられ、この７４ＨＣ１２６はトライステートのＣＭＯＳロジックＩＣで構成され、コンデンサＣ４を通して同調回路１０１に正帰還をかけることで発振回路を形成する。従って、トライステートの制御端子（ＯＮ／ＯＦＦ）により発振を制御することができる。以下ではこのバッファ１０３を発信回路１０３と呼ぶことにする。
【００３１】
図８は、印鑑回路１０の動作を説明するために引用したタイミングチャートである。
ここでは上から順に、（ａ）同調回路１０１（“１”出力時）、（ｂ）同調回路１０１（“０”出力時）、（ｃ）コンパレータ１０２出力、（ｄ）発信回路１０３（制御端子“１”出力時）、（ｅ）発信回路１０３（制御端子“０”出力時）のそれぞれを示す。
【００３２】
図８において、印鑑回路１０が内蔵する同調回路１０１で、“１”出力時の信号波形と“０”出力時の信号波形で、コンパレータ１０２の出力信号が“１”から“０”になる時、マイコン１０４が発信回路１０３の制御端子を“ＯＮ”にする。このことにより、発信回路１０３が“１”出力時は、同調回路１０１が発振している一定の長さの間“ＯＮ”の状態が続き、“０”出力時も“０”出力時の同調回路１０１が発振している一定の長さの間“ＯＮ”の状態が続く。
【００３３】
図９に、印鑑回路１０が内蔵するマイコン１０４の処理の流れがフローチャートで示されている。
図９において、マイコン１０４は、コンパレータ１０２の出力が“１”から“０”に変化するのを待ち（Ｓ９１）、“０”になった時、発信回路１０３の制御端子を“ＯＮ”にする（Ｓ９２）。
その後、一定期間だけ待って（Ｓ９３）、ＩＤメモリ回路１０５の次のビットを読み込む（Ｓ９４）。それが、“０”か“１”により（Ｓ９５）、“１”の時は、更に一定期間待ち（Ｓ９６）、“０”の時は、発振回路の制御端子を“ＯＦＦ”に設定する（Ｓ９７）。以上のようにして電子印鑑１のＩＤを認識する。
【００３４】
図１０に、押印パッド２による受信信号の位置に対する強度が示されている。ここで、横軸は変位量Ｘで、縦軸は受信信号の強度Ｓを示す。
ところで、電子印鑑１に内蔵の送信コイル１２がＸ方向コイルに対して電子印鑑１の回転方向の傾きが無い（押印角度が０度）場合、受信信号強度（波線）は、Ｘｎを中心にほぼ左右対称形であるが（Ｘｎ−１〜Ｘｎ−４，Ｘｎ＋１〜Ｘｎ＋４）、例えば、Ｘ方向コイルに対する傾きが２０度（押印角度が２０度）の場合、この受信信号強度（実線）は、変位の左側で傾き無しの強度より下側になり、変位の右側で傾き無しの強度より上側になることがわかっている。
そこで、この左側と右側の信号強度の差から押印角度を決定する。具体的には、Ｘ方向コイルに対する傾きの度合いと、Ｙ方向コイルに対する傾きの度合いにより、電子印鑑１の押印角度を求める。
【００３５】
図１１に、押印パッド２が内蔵するマイコン２３１による位置座標および押印角度を求めるための処理手順がフローチャートで示されている。以下に詳細説明を行う。
まず、図６に示す受信信号波形で、マイコン２３１は、アンテナ切換スイッチをＸ０〜Ｘ１５、Ｙ０〜Ｙ１１に順次切換え、Ｘ方向、Ｙ方向それぞれの各コイルの受信信号強度を計測する（Ｓ１１１）。ここで、図１０に示すように、Ｘ０〜Ｘ１５中、最大の値をとるコイルをＸｎとする（Ｓ１１２）。また、同様に、Ｙ０からＹ１１中、最大の値をとるコイルをＹｍとする（Ｓ１１３）。
この場合、それらの値から座標及び押印角度は、以下のように算出することができる（Ｓ１１４）。
【００３６】
座標値＝（ｎ、ｍ）
押印角度＝ｔａｎ-1（（（Ｓ（Ｙm+3）−Ｓ（Ｙm-3））/（Ｓ(Ｙm+3)＋Ｓ（Ｙm-3）））／（（Ｓ（Ｘn+3）−Ｓ（Ｘn-3））/（Ｓ(Ｘn+3)＋Ｓ（Ｘn-3））））
なお、式中、Ｓ（Ｘn+3）、Ｓ（Ｘn-3）は、受信信号強度が最高になる受信コイルのＸ方向コイルとして特定したＸ方向コイルＸｎからある一定の距離を持って隣接する２つのコイルＸｎ＋３及びＸｎ−３の受信信号強度、Ｓ(Ｙm+3)、Ｓ（Ｙm-3）は、受信信号強度が最高になる受信コイルのＹ方向コイルとして特定したＹ方向コイルＸｍからある一定の距離を持って隣接する２つのコイルＹｍ＋３及びＹｍ−３の受信信号強度をそれぞれ表している。また、ここでは、座標精度は位置がわかればいい程度で、もし精度良く座標を求めたい場合は、Ｘｎを中心にその両端３つの値を２次曲線に補間して求めることができる。
【００３７】
すなわち、電子印鑑１の押印角度がある状態で、押印パッド２のＸ方向コイルの受信信号強度を見る。ここで、受信コイルＸｎ−３の信号レベルをＶＬ、受信コイルＸｎ＋３の信号レヘベルをＶＲとすれば、電位印鑑１内部の送信コイル１２のＸ方向コイルに対する傾きにより、ＶＬとＶＲの間に信号レベル差が生じる。そこでＸ方向コイルに対する傾きを（１）式のように定義し、同様に考えてＹ方向コイルに対する傾きの値を、Ｙ方向コイルにおけるＶＲ、ＶＬの信号レベルから（２）式のように定義する。
（１）Ｘ方向コイルに対する傾きＸ＝（ＶＲ−ＶＬ）／（ＶＲ＋ＶＬ）
（２）Ｙ方向コイルに対する傾きＹ＝（ＶＲ−ＶＬ）／（ＶＲ＋ＶＬ）
これらＸ、Ｙ方向コイルに対する傾きから、電子印鑑１の押印角度θは、以下の（３）式を演算することにより求められる。
（３）押印角度θ＝ｔａｎ-1（傾きＹの値／傾きＸの値）
例えば、電子印鑑１の押印角度が４５度の場合、傾きＸ＝傾きＹとなり、押印角度θとして４５度が求められる。
【００３８】
以上のようにして検出され、あるいは算出されたＩＤコード、座標位置、押印角度の情報をＵＳＢ経由で上位装置へ転送することにより、上位装置のアプリケーションでは、そのＩＤに相当する印影データを検索して取り出し、押印角度の情報に合わせて画面上の所定の位置に表示する。
【００３９】
以上説明のように本発明は、電子印鑑とパソコン等上位装置との間に押印パッドを介在させ、この押印パッドに電子印鑑による押印操作を行なわせることによって書類に捺印する感覚と同じ感覚で捺印させ、画面上に表示されたディジタル文書の所定の位置にその印影をリアルに表現する電子印鑑システムおよび同システムにおける印影表示方法を提供するものである。
なお、上記した本発明実施形態では、印影情報は上位装置が持つこととして説明したが、押印パッド２で持っても良く、この場合、上位装置の負荷が軽減される。
【００４０】
【発明の効果】
請求項１に記載の発明によれば、電子印鑑とパソコン等上位装置との間に押印パッドを介在させ、この押印パッドに電子印鑑による押印操作を行なわせることによって利用者に書類に捺印する感覚と同じ感覚で捺印させることができ、画面上に表示されたディジタル文書の所定の位置に、電子印鑑を捺印したときの電子印鑑の回転方向の押印角度だけ傾いた印影をリアルに再現する。
【００４１】
また、電子印鑑が、垂直方向に所定の傾きを持って配置されたアンテナコイルと、このアンテナコイルを含む同調回路と、発振回路と、制御回路とを内蔵する。発振回路が、同調回路に同調するアンテナコイルで受信した、押印パッドから一定期間の間送信される送信キャリアを整流して得た電源にて動作し、ＯＮ／ＯＦＦ制御端子に入力されるＯＮ信号によって同調回路に正帰還をかけて発振動作を行い、制御回路が送信キャリアの受信が終了する毎に、予め記憶されている電子印鑑の識別子を構成するビットを順に読み出し、この読み出したビットの１、０に応じた時間継続するＯＮ信号を出力して発振回路を発振動作させ、同調回路のアンテナコイルから識別子の各ビットに応じた時間持続する発振出力を送信させることで、コードレス、電池レスで電子印鑑にユニークに付された識別子を垂直方向に所定の傾きを持って配置されたアンテナコイルにて送信できる。
【００４２】
しかも、等間隔で配置された複数のＸ方向コイル及び該Ｘ方向コイルと直交して等間隔に配置された複数のＹ方向コイルとからなる受信コイルと、Ｘコイル及びＹコイルの外周に全体を囲んで配置された外周コイルからなる送信コイルとを有する押印パッドの制御回路が、送信コイルに送信キャリアを送信させた後、受信コイルの複数のＸ方向コイル及び複数のＹ方向コイルの各々を順次切替えて各コイルで受信される受信信号の強度を測定し、この測定した受信信号の強度に基づいて、複数のＸ方向コイル及び複数のＹ方向コイルのなかで受信信号の強度が最高になるコイルをそれぞれ特定し、この特定したコイルから決定した電子印鑑が押印された座標位置と、特定したコイルの各々からある一定の距離を持って隣接する２つのコイルの受信信号の強度の和に対する差の割合をそれぞれ求め、この求めた２つの割合の比から算出した電子印鑑の押印角度とを上位装置へ送信することにより、上位装置では、捺印したときの電子印鑑の押印位置と同様な位置に押印角度と同様な傾きをもったリアルな印影を表示できる電子印鑑システムを提供することができる。
【００４３】
請求項２に記載の発明によれば、押印パッドには、その押印面に少なくとも「承認」と「否認」を含む押印メニューが印刷され、電子印鑑により押印された座標位置を検出して上位装置へ送信することにより、上位装置では、その押印メニューに応じたアプリケーション上の処理を行なうことができる。
【００４４】
請求項３に記載の発明によれば、電子印鑑にユニークな識別子と、押印パッドに割り付けられた識別子とを照合し、一致する場合にのみ上位装置への座標位置ならびに押印角度の送信を可能にすることにより、成りすまし押印や印鑑複製等の不正行為をチェックすることができる。
【図面の簡単な説明】
【図１】本発明における電子印鑑システムの外観の一例を示す図である。
【図２】本発明における電子印鑑システムの外観の他の一例を示す図である。
【図３】本発明の電子印鑑システムの基本動作を説明するために引用したフローチャートである。
【図４】本発明の電子印鑑システムを構成する電子印鑑および押印パッドの内部構造を説明するために引用したそれぞれの断面図である。
【図５】本発明の電子印鑑システムにおいて使用される押印パッドの内部構成を説明するために引用した図である。
【図６】本発明実施形態の動作を説明するために引用した図であり、送信キャリアと受信信号及びＩＤ検出タイミングの関係について示したタイミングチャートである。
【図７】本発明の電子印鑑システムにおいて用いられる電子印鑑に内蔵される印鑑回路の内部構成を説明するために引用した図である。
【図８】本発明実施形態の動作を説明するために引用した図であり、印鑑回路の動作を示すタイミングチャートである。
【図９】本発明実施形態の動作を説明するために引用した図であり、印鑑回路が内蔵するマイコンの処理の流れをフローチャートで示した図である。
【図１０】本発明の電子印鑑システムによる回転角度の検出を説明するために引用した図であり、押印パッドによる受信信号の位置に対する強度を示す図である。
【図１１】本発明実施形態の動作を説明するために引用した図であり、押印パッドが内蔵するマイコンによる位置座標および押印角度を求めるための処理手順を示すフローチャートである。
【符号の説明】
１      電子印鑑
２      押印パッド
２０    インジケータ
２１    アンテナプリント基板
２２    パーマロイ
２３    パッド回路プリント基板
２４    電子部品
２５（２３７）    圧力センサ
３０    外周コイル
１０１  同調回路
１０４  マイコン（制御回路）
２３１  マイコン（制御回路）
【図１】
0004233846.tif 000002
【図２】
0004233846.tif 000003
【図３】
0004233846.tif 000004
【図４】
0004233846.tif 000005
【図５】
0004233846.tif 000006
【図６】
0004233846.tif 000007
【図７】
0004233846.tif 000008
【図８】
0004233846.tif 000009
【図９】
0004233846.tif 000010
【図１０】
0004233846.tif 000011
【図１１】
0004233846.tif 000012